(57)【要約】【課題】コンクリート等の母材に設けた穴内に接着剤を用いてアンカーボルトを固定する方法に関し、母材の穴を開ける際に出るコンクリート粉の空中飛散防止及び、アンカーボルトの固定強度に影響を与える穴内のコンクリート粉等の残留物の清掃を的確に行えるようにする。【解決手段】コンクリート等の母材にアンカーボルト施工用の穴を開ける際、空気中に飛散するコンクリート粉を吸引する清掃器具であり、穴を開ける位置を覆うカップとカップに直通する排気用ノズルを備えた器具である。また、穴内の残留物の清掃を的確に行うために上記のカップとエアー圧力を利用し、穴内残留物を地上に噴上げるエアー供給器を組合せて使用する。【選択図】  図２
2004268560.tif 000002
【特許請求の範囲】
【請求項１】
コンクリート等の母材にアンカーボルト施工用の穴を開ける際、空気中に飛散するコンクリート粉を吸引する清掃器具であって、穴を開ける位置を覆うカップとカップ内部に直通する排気用ノズルを備えた清掃器具である。
【請求項２】
請求項１記載の清掃器具に、エアー供給器にアンカーボルト施工用穴内にエアーを吹き込む為のエアー供給器を取付けた事を特徴とする清掃器具である。
【請求項３】
請求項２記載のエアー供給器は、エアーの供給を制御するバルブと前記のカップに密着するフランジを備えた器具である。
【発明の詳細な説明】
【０００１】
【発明の属する技術分野】
本発明は、コンクリート等の母材に設けた穴内に接着剤を用いてアンカーボルトを固定する方法に関し、母材に穴を開ける際に出るコンクリート粉の空中飛散の防止及び、アンカーボルトの固定強度に影響を与える穴内のコンクリート粉等の残留物の清掃を的確に行えるようにしたものである。
【０００２】
【従来の技術】
コンクリート等の母材に穴をあける際に出るコンクリート粉の飛散防止には、集塵機等を利用し、穴内のコンクリート粉等の残留物は、ブラシやスポイト等で地上にかき上げ取り除いていた。
【０００３】
【発明が解決しようとする課題】
コンクリート等の母材に穴を開ける際、空気中に飛散するコンクリート粉を養上する為に集塵機等を段取りする時間・場所の確保が容易でなく、従来のブラシやスポイト等を利用した清掃方法だと時間がかかり、また穴内のコンクリート粉等の残留物が完全に除去できない為、アンカーボルトの固定強度に影響する。そこで本願発明は、上記問題点に考慮し開発したもので、作業においてでる、コンクリート粉等の集塵及び、穴内の残留物の完全除去を目的とした清掃器具であり、集塵及び穴内清掃を一連化することにより、従来の技術の問題点である場所確保・時間・清掃を解決したものである。
【０００４】
【課題を解決するための手段】
上記課題を解決するために、本願請求項１に記載の発明は、コンクリート等の母材に穴を開ける際に出るコンクリート粉の飛散防止の為、本願発明器具を穴あけの時、上から覆いかぶせ本器具に直結された掃除機で、空気中に飛散するコンクリート粉を吸引する。また、請求項２に記載の発明は、コンクリート等の母材に開いた穴の中に残ったコンクリート粉等の残留物を除去する為に請求項３のエアー供給器にエアーを接続し、穴の中の残留物をエアーの圧力を利用し、地上にかきあげ請求項１の集塵カップに直結された掃除機で吸引する。
【０００５】
上記構成では、本願発明器具に掃除機及びエアー供給源を必要とするが、掃除機は家庭用のものから業務用のものまで接続可能な為、接続は容易である。またエアー供給源は、アンカー施工場所の工場等には多く普及されており、現場にエアー供給源がなくてもコンプレッサーを利用することでエアーを確保できる。
【０００６】
作業時間であるが従来の技術では、１箇所にかかる掃除の時間は、５分程度かかるが、本願発明器具を利用した場合、穴の上に本器具を置きエアー供給し、穴内の残留物を噴き上げ本器具に接続された掃除機で吸取るだけなので、時間は、一箇所につき１０〜２０秒程度で済む。
【０００６】
アンカーボルトの固定強度の問題であるが、エアー圧力を利用し穴の中の残留物を噴上げる為、穴の中に残留物が残らずケミカルアンカーボルト施工に必要な接着強度が得られる。
【０００７】
【発明の実施の形態】
本発明のケミカルアンカーボルト施工用掃除器具の使用方法について、以下図によりその実施形態を説明する。
実施形態（１）は、集塵カップ１を穴あけ位置上部にかぶせ掃除機取り付けノズル１２を掃除機（図示せず）につなぎ掃除機のスイッチを入れ、ハンマードリル３を集塵カップ１の挿入口１４より挿入し穴あけを開始する。穴あけ時にでるコンクリート等の粉は、集塵カップ１のカップ１１中にとどまり集塵カップ１に接続された掃除機（図示せず）により吸引される。
【０００８】
実施形態（２）は、穴あけ終了後、集塵カップに挿入されたハンマードリル３を抜取り、穴の中のコンクリート等の残留物を除去するために集塵カップ１の挿入口１４にエアー供給器２（エアーホース２１・ワンタッチカプラ２２によりエアー供給源と接続済み）を挿入する。そして、バルブ２３を開放し穴の中のコンクリート等残留物をエアーの圧力により地上に噴上げる、噴上げられたコンクリート粉等残留物は、集塵カップ１のカップ１１の中にとどまり集塵カップ１に接続された掃除機（図示せず）により吸引される。集塵カップ１のカップの中は、掃除機（図示せず）により吸引される為、真空状態になり、カップが地面と密着されるので穴から噴き上がったコンクリート粉は、空気中に飛散することがない。また、集塵カップ１とエアー供給器２の密着部は、フランジ２５とゴムパッキン２６によりカップ内部の真空状態をたもてる為、空気中にコンクリート粉の飛散が防げる。
【０００９】
集塵カップ１の構造は、アンカーボルト施工用穴を覆ことができ、ハンマードリル３とエアー供給器２の挿入口１４と掃除機ノズル１２を備えてあれば、形及び材質は何でもよいが、色は、穴の位置を確認しやすいように、透明又は半透明が好ましい。また、カップと地面との密着効果を高めるために、ゴムパッキン１３を使用した。エアー供給器２の構造は、穴内の残留物を地上に噴上げるエアー圧力を得られれば、形・材質・色は、何でもよいが、集塵カップ１と組み合わせて使用する際、噴きあがった残留物が挿入口１４から集塵カップ１の外に出ないようにフランジ２５が必要である、また、エアーの供給を制御するのにバルブ２３を使用することで、作業がしやすくなる。
【００１０】
【発明の効果】
本発明の構成により、ケミカルアンカー施工用のコンクリート等母材の穴あけ時にでる、コンクリート粉等の空中飛散を防止でき、ケミカルアンカーの固定強度のバラツキの原因となる穴内のコンクリート粉等の残留物の除去方法は、ブラシやスポイト等の従来の清掃器具に比べ、個人差が出ることがなく、穴内に残った残留物を的確に除去できる。また、作業時間も本発明の清掃器具を穴の上に置き、エアー圧力で穴内の残留物を噴上げ本器具直結の掃除機で吸引するだけの作業なので、今まで一箇所につき５分程度かかっていたものが、一箇所につき１０秒程度の時間で終らせる事ができる。本発明の清掃器具を利用することにより、空気中にコンクリート等の粉が飛散することがないので、人体におよぼす悪影響（塵肺など）を防止することができる。
【図面の簡単な説明】
【図１】実施形態（１）の清掃器具を使用している断面図である。
【図２】実施形態（２）の清掃器具を使用している断面図である。
【図３】集塵カップの平面図である。
【図４】集塵カップの側面図である。
【図５】エアー供給器の斜視図である。
【符号の説明】
１  集塵カップ
２  エアー供給器
３  ハンマードリル
１１  カップ
１２  掃除機取り付けノズル
１３  ゴムパッキン
１４  挿入口
２１  エアーホース
２２  ワンタッチカプラ
２３  バルブ
２４  エアーノズル
２５  フランジ
２６  ゴムパッキン
【図１】
2004268560.tif 000003
【図２】
2004268560.tif 000004
【図３】
2004268560.tif 000005
【図４】
2004268560.tif 000006
【図５】
2004268560.tif 000007